(57)【特許請求の範囲】
【請求項１】
前後に離間する蓋受け部間に架設され且つ互いに左右に隣接する第１及び第２の覆蓋同士の接合構造において、
第１の覆蓋の左右両側縁には、上方に突出する第１の凸部が前後方向ほぼ全長に亘って設けられており、第２の覆蓋の左右両側縁には、下方に突出する第２の凸部が設けられており、第２の凸部は、第１の凸部の左右方向の内方で第１の覆蓋上に配設され、第１の凸部の内側部と第２の凸部の内側部とが対向し、
蓋受け部には、上方開口コ字状の枠部が左右方向に沿って設けられ、各覆蓋の前後側縁には、下方に突出する脚部が左右方向ほぼ全長に亘って設けられ、下側となる第1の覆蓋の脚部は、上側となる第２の覆蓋の脚部よりも前後方向内方に位置するように形成され、各覆蓋の脚部は、前記枠部内に左右方向移動可能に配置されていることを特徴とする覆蓋の接合構造。
【請求項２】
前後に離間する蓋受け部間に架設され且つ互いに左右に隣接する第１及び第２の覆蓋同士の接合構造において、
第１の覆蓋の左右両側縁には、上方に突出する第１の凸部が前後方向ほぼ全長に亘って設けられており、第２の覆蓋の左右両側縁には、下方に突出する第２の凸部が設けられており、第２の凸部は、第１の凸部の左右方向の内方で第１の覆蓋上に配設され、第１の凸部の内側部と第２の凸部の内側部とが対向し、
蓋受け部には、上方開口コ字状の枠部が左右方向に沿って設けられ、各覆蓋の前後側縁には、下方に突出する脚部が左右方向ほぼ全長に亘って設けられ、下側となる第1の覆蓋の脚部よりも、上側となる第２の覆蓋の脚部が長くなるように設定され、各覆蓋の脚部は、前記枠部内に左右方向移動可能に配置されていることを特徴とする覆蓋の接合構造。
【請求項３】
前後に離間する蓋受け部間に架設され且つ互いに左右に隣接する第１及び第２の覆蓋同士の接合構造において、
第１の覆蓋の左右両側縁には、上方に突出する第１の凸部が前後方向ほぼ全長に亘って設けられており、第２の覆蓋の左右両側縁には、下方に突出する第２の凸部が設けられており、第２の凸部は、第１の凸部の左右方向の内方で第１の覆蓋上に配設され、第１の凸部の内側部と第２の凸部の内側部とが対向し、
蓋受け部には、上方開口コ字状の枠部が左右方向に沿って設けられ、各覆蓋の前後側縁には、下方に突出する脚部が左右方向ほぼ全長に亘って設けられ、各覆蓋の脚部は、前記枠部内に左右方向移動可能に配置され、
第１の凸部の内側部は左右方向に沿う切断面において凹凸構造を呈し、第２の凸部の内側部は、第１の凸部の内側部に対して相補の凹凸構造を呈し、第１及び第２の凸部の内側部同士が凹凸嵌合していることを特徴とする覆蓋の接合構造。
【請求項４】
前後に離間する蓋受け部間に架設され且つ互いに左右に隣接する第１及び第２の覆蓋同士の接合構造において、
第１の覆蓋の左右両側縁には、上方に突出する第１の凸部が前後方向ほぼ全長に亘って設けられており、第２の覆蓋の左右両側縁には、下方に突出する第２の凸部が設けられており、第２の凸部は、第１の凸部の左右方向の内方で第１の覆蓋上に配設され、第１の凸部の内側部と第２の凸部の内側部とが対向し、
蓋受け部には、上方開口コ字状の枠部が左右方向に沿って設けられ、各覆蓋の前後側縁には、下方に突出する脚部が左右方向ほぼ全長に亘って設けられ、各覆蓋の脚部は、前記枠部内に左右方向移動可能に配置され、
各覆蓋の上面は、液体を枠部へ流出させるように傾斜面とされ、枠部は、覆蓋の上面から流出された液体の排水路として機能することを特徴とする覆蓋の接合構造。
【発明の詳細な説明】
【０００１】
【発明の属する技術分野】
本発明は、下水処理施設に設置される汚水槽や汚水路、若しくは、上水処理施設に設置される浄化槽や上水路などを覆うために架設される覆蓋の接合構造に関する。
【０００２】
【従来の技術】
この種従来の覆蓋の接合構造として、特開２００１−３１１２１０号公報記載のものがある。この従来の接合構造では、隣接する覆蓋の左右側縁同士が付き合わされ、隣接する一方の覆蓋には、他方の覆蓋の天板の側縁を下方側から支持する支持部が設けられ、該支持部は天板の前後方向全長に亘って設けられ、支持部と他方の覆蓋の天板との間にはシール部材が設けられ、該シール部材は天板の前後方向全長に亘って設けられている。そして、かかる構成により、一方の覆蓋の支持部に設けたシール部材を隣接した覆蓋の天板の下面で密接させ、充分なシール効果が得られるとともに、隣接する覆蓋の天板同士が横方向にわずかにずれた場合でも隙間が生じず、シール効果が維持されるという作用効果を奏するものである。
【０００３】
【発明が解決しようとする課題】
ところで、上水処理施設の水槽乃至水路を複数の覆蓋で覆う場合、水の汚染を防止するために覆蓋同士の間の隙間からの雨水の流入をより確実に防止する必要があり、さらに、近年、薬液を水槽内に投入しようとするいたずら行為を阻止する必要も生じている。しかし、上記従来の接合構造によれば、覆蓋が静置されている場合にはシール性は確保されているが、例えば、下側となる一方の覆蓋（支持部を有する覆蓋）の上に人が乗るなどして該覆蓋に荷重が掛かる場合には、該覆蓋が下方に湾曲変形して隣接する他の覆蓋との間で隙間が発生し、この隙間から雨水や薬液が流入するおそれがある。
【０００４】
例えば図９や図１０に示すように、覆蓋１００の左右側縁に上方に突出する凸部１０１（突堤部）を設けるとともに、隣接する覆蓋１００の双方の凸部１０１を上方から断面コ字状のカバー部材１０２で覆い、該カバー部材１０２により両覆蓋同士の間の隙間からの雨水等の流入を防止することも考えられるが、かかる構成によれば、蓋１００同士が互いにカバー部材１０２によって連結されるものとなるので、点検等の際に必要箇所の覆蓋のみを簡単に脱着したり、覆蓋全体を移動する事等が困難となるし、一方の覆蓋上に人が載った時などにおいて、カバー部材１０２のみで荷重を支持できず、蓋間の隙間が生じて雨水等が流入するおそれがある。
【０００５】
そこで、本発明は、覆蓋上の雨水や薬液が覆蓋同士の隙間から流入してしまうことを確実に阻止し得るとともに、蓋の脱着が移動が容易な覆蓋の接合構造を提供することを目的とする。
【０００６】
【課題を解決するための手段】
本発明は、上記目的を達成するために、次の技術的手段を講じた。
【０００７】
（第１発明：請求項１〜４）
即ち、本発明は、前後に離間する蓋受け部間に架設され且つ互いに左右に隣接する第１及び第２の覆蓋同士の接合構造において、第１の覆蓋の第２覆蓋側の左右側縁には、上方に突出する第１の凸部（突堤部）が前後方向ほぼ全長に亘って設けられており、第２の覆蓋の第１覆蓋側の左右側縁には、下方に突出する第２の凸部が（好ましくは前後方向ほぼ全長に亘って）設けられており、第２の凸部は、第１の凸部の左右方向の内方で第１の覆蓋上に配設され、第１の凸部の内側部と第２の凸部の内側部とが対向していることを特徴とする覆蓋の接合構造である。かかる本発明の接合構造によれば、第１の覆蓋上の雨水や薬液は、その左右側縁の第１の凸部により堰き止められることで覆蓋間の隙間には流入しない。また、第２の覆蓋の左右側縁の第２の凸部は、第１の凸部の左右内側方で第１の覆蓋上に配設されているので、第２の覆蓋上の雨水や薬液が左右方向に流出しても、第１の覆蓋上に流出する。したがって、第１及び第２の覆蓋上の雨水等がこれら覆蓋間の隙間から流入することがない。さらに、第１及び第２の凸部の内側部同士が対向しているため、第１及び第２の覆蓋を離反させる方向に各覆蓋を左右反対方向にスライドさせても、両凸部同士が係合して隙間が生じることが防止される。また、凸部は前後方向ほぼ全長に亘って設けられているので、この凸部によって覆蓋の曲げ剛性が向上して荷重による変形を抑制できる。さらに、隣接する覆蓋同士の間にカバー材を設ける必要がないので、覆蓋の着脱や移動が容易である。
【０００８】
なお、第１及び第２の凸部は、覆蓋に一体成形されていてもよく、覆蓋を構成する平板状の面板乃至天板の上面に接着剤等によって固定された角材によって構成することも可能である。また、各凸部の材質は、面板と同一であってもよく、また、ゴムなどの弾性体によって構成してもよい。
【０００９】
上記本発明の接合構造において、第１の覆蓋の左右両側縁に前記第１の凸部を設け、第２の覆蓋の左右両側縁に前記第２の凸部を設け、第１の覆蓋と第２の覆蓋とを交互に蓋受け部間に架設し、第２の覆蓋を、左右両側の第１の覆蓋上に設置することができる。これによれば、水槽乃至水路を開口させたいときに、複数の覆蓋のうちの左右一端側の覆蓋を他端側に向けてスライドさせていくと、第１の覆蓋の第１の凸部と第２の覆蓋の第２の凸部とが離反するように第１及び第２の覆蓋が相対的にスライドし、隣接する覆蓋同士が重複する範囲が大きくなる結果、複数の覆蓋全体の左右幅を狭くして、開口を形成することが可能である。
【００１０】
また、上記本発明の接合構造において、第１の凸部の内側部は左右方向に沿う切断面において凹凸構造を呈し、第２の凸部の内側部は、第１の凸部の内側部に対して相補の凹凸構造を呈し、第１及び第２の凸部の内側部同士が凹凸嵌合しているものとすることができる。これによれば、第１及び第２の凸部の内側部同士が凹凸嵌合することで、隣接する覆蓋同士が一体化し、着脱が容易なものでありながらも、覆蓋間に隙間の発生が無く、雨水や薬液等の水槽や水路内での混入をより確実に防止できるとともに、耐荷重性能も向上する。
【００１１】
さらに、蓋受け部には、上方開口コ字状の枠部が左右方向に沿って設けられ、各覆蓋の前後側縁には、下方に突出する脚部が左右方向ほぼ全長に亘って設けられ、各覆蓋の脚部は、前記枠部内に左右方向移動可能に配置されているものとすることができる。これによれば、各覆蓋の左右方向のスライドを枠部により案内することで、容易かつ確実に各覆蓋を左右方向に移動操作することができる。さらに、脚部によって覆蓋の前後端部をシールすることで、防臭性が向上するとともに、覆蓋の前後端部から雨水等が水槽や水路内に流入することを防止できる。
【００１２】
また、各覆蓋の上面を、液体を枠部へ流出させるように傾斜面とするとともに、枠部を、覆蓋の上面から流出された液体の排水路として機能させることができる。これによれば、覆蓋上の雨水や薬液を迅速に枠部へ流出させて、水槽や水路内に流入しないように排水させることができる。
尚、覆蓋の平面的な形状は、スライド構造を構成できればよく、長方形の他、台形、扇形、半円形などでもよい。
【００１３】
【発明の実施の形態】
以下、本発明の実施の形態を図面に基づいて説明する。
図１並びに図４（ａ）は、本発明（特に、請求項１，２）の第１実施形態に係る覆蓋の接合構造を示している。本実施形態において、上水処理施設や下水処理施設等に設けられる水槽若しくは水路１が前後に離間するコンクリート躯体２によって形成されており、前後の両躯体２が蓋受け部となる。なお、大規模な貯水池や浄水槽などにおいては、左右方向に伸びるＨ形鋼等を前後方向に複数並設して、この鋼材を蓋受け部として利用することも可能である。その他、蓋受け部は適宜の構成とすることができる。
【００１４】
前後に離間する蓋受け部２間には、左右方向に複数の覆蓋３，４が隣接配置された状態で架設されている。本実施形態では、下側に配置される第１の覆蓋３と、この第１の覆蓋３の上に載置される第２の覆蓋４とが左右方向に交互に配置されている。各覆蓋３の前後方向幅は、前後の蓋受け部２の間隔よりも若干大きく、各覆蓋３の前後端部が蓋受け部２上に設置可能となっている。各覆蓋３の左右幅は適宜のものであってよく、第１の覆蓋３の左右幅と第２の覆蓋４の左右幅とが同一であっても異なっていてもよい。
【００１５】
第１の覆蓋３は、図２（ａ）にも示すように、平面視長方形状で且つ前後方向中央が上方に湾曲するアーチ状の面板５によって主構成されており、この面板５の左右両側縁には、上方に突出する第１の凸部６が前後方向ほぼ全長に亘って設けられていて、これにより第１の覆蓋３の断面形状は全体として略凹形を呈している。凸部６は面板５と一体成形されていてもよいが、面板５とは別体に成形された角材を面板５に前後方向全長にわたり接着接合することもできる。この凸部６は、雨水等を堰き止める突堤（堰）として機能するのみならず、面板５の曲げ剛性を向上するための補強梁としても機能するものである。この凸部６の突出高さは、雨水等が蓋間に浸入しない程度であればよい。凸部５，６の高さが高くなると第１及び第２の覆蓋のそれぞれの面板５間の上下幅が大きくなり、特に前後側縁部におけるシール性に問題が生じ易くなるため、各凸部５，６の突出高さはシール性を最優先に考慮して決定することが好ましい。各覆蓋３，４の剛性が不足する場合には、図４（ｂ）に示すように、前後方向全長に亘る補強梁９を面板５の左右方向中途部（例えば左右中央）に設けることができる。これらの面板５を含む覆蓋の構造は、後述する全ての実施形態にも適用可能なものである。
【００１６】
第２の覆蓋４は、図２（ｂ）にも示すように、平面視長方形状で且つ前後方向中央が上方に湾曲するアーチ状の面板５によって主構成されており、この面板５の左右両側縁には、下方に突出する第２の凸部７が前後方向ほぼ全長に亘って設けられていて、これにより第２の覆蓋４の断面形状は全体として下に向けて略凹形を呈している。凸部７は面板５に一体成形されていてもよいが、面板５とは別体に成形された角材を面板５に前後方向全長にわたり接着接合することもできる。第２の凸部７の下方への突出長さは、第１の凸部６の上方への突出長さとほぼ等しい。
尚、第２の覆蓋４の長手方向の両端部には、図２の（ｃ）に示す凸部７’を設けておき、第１の覆蓋３にかぶさって、防臭性を確保することもできる。
【００１７】
第２の凸部７は、第１の凸部６の内側方で第１の覆蓋３上に配設されており、第１の凸部６の内側面と第２の凸部７の内側面とが対向している。なお、図４（ｂ）に示すように、第１の凸部６と第２の凸部７との間に、ゴム製等のシール部材１０を設けることで、より一層のシール性の向上と防臭性の向上とを図ることができる。また、各凸部６，７は、面板５と同じ曲率でアーチ状に湾曲している。面板５の上面は、上記凸部６，７以外の突出部位が存在せず、なだらかなアーチ状の曲面となされている。したがって、第１の覆蓋３と第２の覆蓋４とは、図１に示す状態から互いの重複範囲を増大する方向に相対的に左右に移動可能である。したがって、メンテナンス時などに水路１上を開放しようとするときは、並列配置された覆蓋を一端側に引き寄せるか、中央部より両側に引き寄せるか、または、第１及び第２の覆蓋３，４の各凸部６，７の係合を１カ所取り外し、その覆蓋を左右側方へスライドさせていくことにより、容易かつ迅速に広い開口を設けることができるとともに、作業完了後はその覆蓋を元に戻す方向にスライドさせることにより水路１上を密閉することが可能である。また、上記覆蓋４の凸部７の係合部は回動可能とされていてもよい。
【００１８】
また、本実施形態によれば、上に凹の第１の覆蓋３と下に凹の第２の覆蓋４とを互いに組み合わせた構造とすることにより、隣り合う蓋同士が一体化し、着脱が容易でありながら蓋間に隙間の発生がなく、雨水や薬液等の水槽１内への混入を防止することができるとともに、防臭性を向上することができる。
【００１９】
面板５の前後方向の断面形状は、図３（ａ）に示すアーチ状の他、図３（ｂ）に示すような山形であってもよく、また、図３（ｃ）に示すように前後方向一方側に向けて傾斜する片流れ形状であってもよい。これらのように覆蓋の上面を前後方向に傾斜させることで、上面の雨水等を前後方向外方に円滑に排水させることができる。前後外方に排水した雨水等が水槽１内に流入しないように、図３の各図に示すように、面板５の前後端部の近傍に左右幅全長に亘る脚部８を設け、この脚部８を蓋受け部２上に液密状に設置することが好ましい。脚部８は、ゴムなどの弾性体により構成してもよく、ＦＲＰ材やＦＦＵ材等によって構成することも可能である。
【００２０】
なお、各覆蓋３，４は、上記のように面板５によって主構成されたものの他、箱型の上面が平坦な構造であっても構わず、その他、適宜の構造とすることができる。
【００２１】
また、図４（ｃ）の変形実施例（請求項３に対応）に示すように、各凸部６，７の突出側側縁に、左右方向内方に向けて係合部１１を突設しておき、第１の覆蓋３上に第２の覆蓋４を配置した後、両覆蓋３，４を左右に引き延ばすことにより両覆蓋３，４の左右側縁同士を凹凸嵌合させることもできる。この実施例においては、第１の凸部６の内側部が、上記係合部１１が前後方向全長にわたって設けられることにより左右方向に沿う切断面において凹凸構造を呈しており、同様に、第２の凸部７の内側部は、第１の凸部６の内側部に対して相補の凹凸構造を呈しているものである。かかる構成によれば、第１及び第２の覆蓋３，４の接合部が一体化しており、どちらの蓋に荷重が載荷されても、蓋同士の上下方向の隙間が広がらず、雨水等の浸入をより確実に防止できる。
【００２２】
また、本発明の接合構造においては、図６に示す第２実施形態（請求項４，５に対応）のように、蓋受け部２の上面に、上方開口コ字状の枠部１２（ベース鋼材など）を左右方向に沿って設けることができる。この枠部１２は、水槽１の上方を覆うべき領域の左右幅全長に亘って形成することが好ましいが、一部にのみ設けることも可能である。また、枠部１２の前後内側の上方突出片１２ａの突出高さは、前後外側の上方突出片１２ｂの突出高さよりも低くすることが好ましい。この枠部１２は、鋼材やＦＲＰ引抜材等の適宜の部材によって構成できる。
【００２３】
一方、各覆蓋３，４の前後側縁には、下方に突出する脚部８を左右方向ほぼ全長に亘って設けることができる。なお、下側となる覆蓋３の脚部８の高さよりも、上側となる覆蓋４の脚部８の高さの方が高くなるように設定することが好ましい。
【００２４】
そして、各覆蓋３，４の脚部を、上記枠部１２内に左右方向移動可能に配置することができる。下側となる第１の覆蓋３の脚部８は、上側となる第２の覆蓋４の脚部８よりも前後方向内方に配置することができる。また、各覆蓋３，４の左右方向の摺動抵抗を低減したりシール性を確保する等のために、枠部１２の底面に低摩擦シートやゴム製等のシール板等のシート状部材１４を貼付することも可能である。さらに、全ての覆蓋の設置が完了した後、不慮に覆蓋が左右方向にスライドすることを防止するために、図５に示すように覆蓋３，４を上方から押さえる固定部材１５を枠部１２に設けることができる。この固定部材１５は、上側となる第２の覆蓋４のみに設けてもよく、下側となる第１の覆蓋３のみに設けてもよい。しかし、風等で覆蓋が飛散するのを防止する為には、少なくとも上方に配置される第２の覆蓋４を固定しておけばよい。
【００２５】
また、枠部１２は、好ましくは左右方向外方に移行するに従って徐々に下方に傾斜させるのがよい。また、枠部１２の左右外端部は、適宜の排水路に接続することが好ましい。
【００２６】
本実施形態によれば、各覆蓋３，４の上面は、雨水等を枠部１２内へ流出させるように傾斜面とされており、枠部１２が、覆蓋３，４の上面から流出された雨水等の排水路として機能するので、より確実に雨水等を排水して、水槽１内への雨水等の流入を防止できる。また、覆蓋同士の接合部の断面形状及びシール部材の配置例は、図５の（ｄ）乃至（ｇ）に示したものでもよい。
【００２７】
上記第１及び第２の凸部６，７の構造は、上記実施例に限定されるものではなく、図７に示す第３実施形態（請求項３に対応）のように、左右方向に沿う切断面において全体として略コ字状のシール部材１６，１７を第１及び第２の覆蓋の面板５の左右側縁にそれぞれ取付けることによって各凸部６，７を形成しても良い。また、図８に示す第４実施形態（請求項３に対応）のように、第１の覆蓋３の左右側縁の上面にシール部材を接着することにより第１の凸部６を形成し、第２の覆蓋４の左右側縁の下面にシール部材を接着することにより第２の凸部７を形成することもできる。
【００２８】
これら第３及び第４実施形態では、いずれも、第１の凸部６の内側面が左右方向に沿う切断面において凹凸構造を呈し、第２の凸部７の内側面は、第１の凸部６の内側面に対して相補の凹凸構造を呈し、第１及び第２の凸部６，７の内側面同士が凹凸嵌合している。
【００２９】
以上の各実施形態によれば、隣接配置される２枚の蓋が一体化し、防臭性並びに防液性を確保できるとともに、蓋の着脱も左右方向にスライドさせるのみで容易かつ迅速に行うことができる。さらに、凹凸嵌合構造とすることによって、蓋間に上下方向の隙間が発生することがなく、雨水や薬液等の槽内への混入を確実に防止できる。
【００３０】
本発明は、上記各実施形態に限定されるものではなく、適宜設計変更することができる。例えば、必要に応じてゴム製等のシールパッキンを所要部位に追加してもよい。また、各構成部材の材料等も特定ものに限定されるものではなく、要求される防臭性や防液性の程度や、施工性、加工性等を考慮しつつ選定することが可能である。
【発明の効果】
本発明によれば、覆蓋上の雨水や薬液が覆蓋同士の隙間から流入してしまうことを確実に阻止し得るとともに、蓋の脱着が移動が容易な覆蓋の接合構造として作業効率の向上等を図ることができる。
【図面の簡単な説明】
【図１】  本発明の第１実施形態に係る覆蓋の接合構造を示す簡略斜視図である。
【図２】  同接合構造に用いた覆蓋の斜視図であって、（ａ）は第１の覆蓋を示し、（ｂ）は第２の覆蓋を示す。
【図３】  本発明に用いる覆蓋の前後方向断面構造の例を示し、（ａ）はアーチ蓋の断面図、（ｂ）は山形蓋の断面図、（ｃ）は片流れ形蓋の断面図である。
【図４】  覆蓋の凸部構造の各種実施例を示す断面図である。
【図５】  覆蓋の接合部の断面形状及びシール部材の配置の各種実施例を示す断面図である。
【図６】  本発明の第２実施形態に係る覆蓋の接合構造を示し、（ａ）は覆蓋の前後端部の平面図、（ｂ）は（ａ）のＡ−Ａ線断面図、（ｃ）は（ａ）のＢ−Ｂ線断面図である。
【図７】  本発明の第３実施形態に係る覆蓋の接合構造の要部拡大断面図である。
【図８】  本発明の第４実施形態に係る覆蓋の接合構造の要部拡大断面図である。
【図９】  覆蓋の接合構造の一例を示す一部破断斜視図である。
【図１０】  同接合構造の要部拡大断面図である。
【符号の説明】
１    槽
２    蓋受け部
３    第１の覆蓋
４    第２の覆蓋
６    第１の凸部
７    第２の凸部
８    脚部
１２    枠部
２０    接合部（シール部材）
２１    基部（突堤部）
２２    張出部
２３，２３’    第２のシール部材
２４    第１のシール部材
２５    第３のシール部材
２８    第４のシール部材
３１    第１の突堤部
３２    第２の突堤部
３３    カバー部材
３４    締結部材
３５    支持部
【図１】
0004047620.tif 000002
【図２】
0004047620.tif 000003
【図３】
0004047620.tif 000004
【図４】
0004047620.tif 000005
【図５】
0004047620.tif 000006
【図６】
0004047620.tif 000007
【図７】
0004047620.tif 000008
【図８】
0004047620.tif 000009
【図９】
0004047620.tif 000010
【図１０】
0004047620.tif 000011